(57)【要約】【課題】Ｌ型プローブ給電の手法を用いてパッチを励振することで、広い周波数帯域で動作することが可能な特性を有する偏波共用パッチアンテナを提供することを目的とする。【解決手段】偏波共用パッチアンテナは、パッチの背面に配置され、パッチの上面から見たときに、第１軸方向に該パッチの第１軸方向の長さと略同じ長さを持ち、第１軸方向と直交する第２軸方向に該パッチの第２軸方向の長さと略同じ長さを持つ十字型の形状をしたストリップ線路；及び前記ストリップ線路と電磁結合し、前記ストリップ線路を第１軸方向及び第２軸方向に励振するように給電して、前記パッチを励振する給電プローブ；を有する。【選択図】図７
2007142876.tif 000002
【特許請求の範囲】
【請求項１】
パッチの背面に配置され、パッチの上面から見たときに、第１軸方向に該パッチの第１軸方向の長さと略同じ長さを持ち、第１軸方向と直交する第２軸方向に該パッチの第２軸方向の長さと略同じ長さを持つ十字型の形状をしたストリップ線路；及び
前記ストリップ線路と電磁結合し、前記ストリップ線路を第１軸方向及び第２軸方向に励振するように給電して、前記パッチを励振する給電プローブ；
を有する偏波共用パッチアンテナ。
【請求項２】
前記給電プローブは、前記ストリップ線路を第１軸方向に励振するように給電して、前記パッチを第１軸方向に励振する第１の給電プローブと、前記ストリップ線路を第２軸方向に励振するように給電して、前記パッチを第２軸方向に励振する第２の給電プローブとを有することを特徴とする、請求項１に記載の偏波共用パッチアンテナ。
【請求項３】
前記パッチ及び前記ストリップ線路は、第１軸方向及び第２軸方向に対して対称的な形状を有することを特徴とする、請求項１に記載の偏波共用パッチアンテナ。
【発明の詳細な説明】
【技術分野】
【０００１】
本発明は、直交する２種類偏波の電磁波を送受信することが可能な偏波共用パッチアンテナに関する。
【背景技術】
【０００２】
従来技術によって構成された偏波共用パッチアンテ（非特許文献１参照）を図１に示す。図１に示す構成では、誘電体等を介してグランド板の前面に配置されたパッチ（金属小片）を２方向から給電することで、直交する２種類偏波の電磁波を送信又は受信するアンテナを実現する。このアンテナへの給電方法としては、図１に示すように、給電ラインを直接にパッチに接続することにより行われる。パッチアンテナは通常は薄い誘電体に金属フィルムが貼られたプリント基板を用いて製造されることが多く、パッチの形状としては矩形や円形のものが良く用いられる。パッチアンテナは薄型でコンパクトなアンテナとして広く用いられている反面、使用可能な周波数範囲（周波数帯域）が狭いという欠点がある。給電方法としては給電ラインを直接にパッチにつなげる方法の他、図２に示すように、同軸線路の外導体をグランド板に接続し、同軸線路の内導体を誘電体を貫通させてパッチの背面から接続する方法（非特許文献１参照）も用いられる。しかし、この方法では周波数帯域は大幅には改善しない。給電ラインを直接にパッチに接続せずに、図３に示すように、グランド板に設置した開口（スロット開口）を介して、グランド板を挟んでパッチと反対側の面に構成した給電ラインから電磁結合によってパッチを給電する方法（非特許文献１参照）もある。この給電方法によって偏波共用パッチアンテナを構成しようとした場合には２つのスロット又は２つの給電ラインが近接することになり（図３参照）、対称性が崩れることにより交差偏波特性の劣化を招くという問題がある。特に、高い周波数でパッチアンテナを使用する場合や、厚い誘電体基板を使用した場合にはパッチの大きさに比較してスロットおよび給電ラインが大きくなる傾向があり、スロットや給電ラインの配置が難しくなるとともに、これらスロットや給電ラインが非常に近接することとなる。図３のアンテナの改良として、図４に示すように、２つのスロットを交差させるとともに、誘電体を厚くして２枚のパッチを重ねて配置することで、広帯域化を図る方法が開示されている（特許文献１参照）。しかし、この場合にも同様にスロット給電を用いているため、２つの給電ラインが非常に近接することに起因する問題がある。
【０００３】
図２の従来技術によって構成された偏波共用パッチアンテの特性の一例を図５及び図６に示す。図５に示すように、アンテナの入力特性を示すＶＳＷＲが1.5以下となる帯域は2.5％と狭いことが分る。これは周波数の変化に伴いインピーダンスが大きく変化してしまうことに起因している。また、図６に示すように、スミスチャート上のインピーダンスの軌跡が大きな輪を描いており、インピーダンス整合のとれる範囲が狭いことが分る。
【０００４】
なお、図１の従来技術でも同様にインピーダンス整合のとれる範囲は狭く、特性が大きく改善することは無い。図１の構成や図２の構成でパッチを励振した場合には給電ラインまたは同軸線路の導体がパッチに接触する部分において局所的に電流が集中する箇所が生じることになり、このことが特性を劣化させる要因となる。図３の構成では特性が改善されるが、前述のように、対称性の崩れがあり、アンテナの設計が困難になる。
【特許文献１】特開平７−２１２１２５
【非特許文献１】小形・平面アンテナ、羽石操ほか共著、電子情報通信学会編、1996年8月、184ページ
【発明の開示】
【発明が解決しようとする課題】
【０００５】
本発明は、前述のような従来技術の実情に鑑みてなされたものであり、Ｌ型プローブ給電の手法を用いてパッチを励振することで、広い周波数帯域で動作することが可能な特性を有する偏波共用パッチアンテナを提供することを目的とする。
【課題を解決するための手段】
【０００６】
本発明の前記の目的は、パッチの背面に配置され、パッチの上面から見たときに、第１軸方向に該パッチの第１軸方向の長さと略同じ長さを持ち、第１軸方向と直交する第２軸方向に該パッチの第２軸方向の長さと略同じ長さを持つ十字型の形状をしたストリップ線路；及び前記ストリップ線路と電磁結合し、前記ストリップ線路を第１軸方向及び第２軸方向に励振するように給電して、前記パッチを励振する給電プローブ；を有する偏波共用パッチアンテナにより解決することができる。
【発明の効果】
【０００７】
前記のように、本発明の実施例による偏波共用パッチアンテナによれば、広い周波数帯域での動作を実現することができる。
【発明を実施するための最良の形態】
【０００８】
（パッチアンテナの構成）
図７〜９に、本発明の一実施例に従って、直交する２種類偏波の電磁波を送信又は受信することが可能な偏波共用パッチアンテナの構成１０を示す。図面を分かりやすくするため、図７において誘電体及びグランド板を省略したときの図を図８に示す。同様に、誘電体及びグランド板を省略したときの、パッチ１０１と、クロスライン１０３と、給電プローブ１０５、１０７との位置関係を図９に示す。
【０００９】
偏波共用パッチアンテナ１０は、パッチ１０１と、クロスライン（十字型のストリップ線路）１０３と、給電プローブ１０５、１０７とを有する。パッチ１０１の背面にパッチと略同じ長さの十字型をしたストリップ線路（クロスライン１０３）を配置し、当該クロスラインの２方向に電流を給電するようにクロスライン１０３の背面に給電プローブ１０５、１０７を設置する。クロスライン１０３は、十字型の形状をしたストリップ線路（金属箔）である。給電プローブ１０５、１０７は、同軸線路の外導体をグランド板１０９に接続し、内導体１１７、１１９を誘電体１０９を貫通させて金属小片１１３、１１５に接続するように構成されたＬ型プローブである。
【００１０】
給電プローブ１０５は、クロスライン１０３と非接触で電磁結合し、図８のＹ軸方向にパッチアンテナ１０１を励振する。同様に、給電プローブ１０７は、クロスライン１０３と非接触で電磁結合し、図８のＸ軸方向にパッチアンテナ１０１を励振する。このようにクロスライン１０３を設けることにより、給電プローブから直接にパッチと結合する電磁界成分と、クロスラインを介してパッチと結合する電磁界成分との合成によってインピーダンス整合が実現することができ、効率的にパッチを励振することが可能になる。
【００１１】
また、クロスライン１０３の長さをパッチ１０１と略同じ長さとすることにより、クロスラインのそれぞれの方向に伸びる長さはパッチの共振周波数の近傍で共振するようになる。具体的にはパッチが基本モードで励振される場合においては、クロスラインのそれぞれの方向に伸びる長さは電気長に換算して半波長あるいは半波長よりも少し短い長さに対応して共振することとなる。なお、給電プローブの金属小片１１３の大きさは、図９に示すようにクロスライン１０３の幅より少し細い幅に設計されることが一般的であるが、図９にかかわらず、クロスラインの幅と同じ又はそれより大きく設計することもできる。
【００１２】
（パッチアンテナの特性）
本実施例のアンテナでは、パッチから見て背面にあるクロスラインは励振方向に対して対称な形状となっていることから、交差偏波特性の劣化を招かないという利点がある。
【００１３】
更に、本実施例のアンテナの設計時にクロスラインの幅を変えることでインピーダンスの実数成分（レジスタンス成分）を調整でき、クロスラインとパッチとの間隔を変化させることでインピーダンスの虚数成分（リアクタンス成分）を調整することが可能である。従って、所望とする周波数において容易にインピーダンス整合を図ることが可能になる。具体的には、クロスラインの幅を狭くした場合にはレジスタンス成分が大きくなり、クロスラインとパッチとの間隔を大きくした場合にはリアクタンス成分が大きくなる。
【００１４】
また、図２に関して前述したように、アンテナの励振素子において局所的に電流が集中する箇所が生じた場合には一般的に周波数帯域が狭くなる。これに対して、本実施例においては、給電プローブを用いて電磁結合によって間接的にクロスラインとパッチを励振することにより、クロスライン及びパッチに電流が局所的に集中する箇所を作らないようにすることができる。このような構成により、アンテナの広帯域化を図ることができる。
【００１５】
図７に示す偏波共用パッチアンテナのＶＳＷＲ特性を図１０に示す。なお、この場合は２つの偏波とも同じ周波数で共振するようにパッチは正方形とした。クロスラインの線路幅はインピーダンス50Ωのストリップ線路の幅よりも僅かに細い幅に調整されており、パッチとクロスラインと給電プローブ（上面）との位置関係は略等間隔とした。図１０から、本実施例による偏波共用パッチアンテナでは、給電プローブ１０５を給電するポート１及び給電プローブ１０７を給電するポート２の双方について、ＶＳＷＲが1.5以下となる帯域が6.8％と広いことが分る。また、図１１は、図７に示す偏波共用パッチアンテナのインピーダンス特性を示す。図１１から分るように、給電プローブ１０５を給電するポート１及び給電プローブ１０７を給電するポート２の双方について、アンテナの共振周波数の近傍においてスミスチャート上におけるインピーダンスの軌跡が小さな輪を描いており、比較的広い周波数範囲でインピーダンス整合がとれることが確認できる。図１０及び図１１において、ポート１及びポート２の双方とも同じ特性を示しており、グラフ上で同一の軌跡を示している。
【００１６】
図１２及び図１３は、それぞれの偏波に対応する給電プローブを励振した場合のアンテナパターンをピーク利得が0dBとなるように規格化して示したものである。図１２及び図１３のグラフは略同じパターンを示しており、この偏波共用パッチアンテナは偏波面が90度回転しただけで略同じパターン特性を有すると考えられる。また、交さ偏波成分は主偏波成分の-14dB以下に抑えられており、良好なパターン特性を有していることが確認できる。
【００１７】
以上説明したように、本実施例の偏波共用パッチアンテナは広い周波数帯域で動作することが可能である。更に、２つの偏波方向に関して対称性が良い構造を有していることから、本実施例の偏波共用パッチアンテナのアンテナパターンは良好な交差偏波特性を実現することが可能である。
【００１８】
なお、本発明は、上記の実施例に限定されることなく、特許請求の範囲内において種々の変更及び応用が可能である。例えば、パッチの形状は矩形に限定されることなく、円形でもよい。
【図面の簡単な説明】
【００１９】
【図１】従来技術の偏波共用パッチアンテナを説明する図
【図２】従来技術の偏波共用パッチアンテナを説明する図
【図３】従来技術の偏波共用パッチアンテナを説明する図
【図４】従来技術の偏波共用パッチアンテナを説明する図
【図５】図２に示す偏波共用パッチアンテナのＶＳＷＲ特性を示すグラフ
【図６】図２に示す偏波共用パッチアンテナのインピーダンス特性を示すスミスチャート
【図７】本発明の実施例による偏波共用パッチアンテナを説明する図
【図８】図７に示す偏波共用パッチアンテナを説明する図
【図９】図７に示す偏波共用パッチアンテナの位置関係を示す図
【図１０】図７に示す偏波共用パッチアンテナのＶＳＷＲ特性を示すグラフ
【図１１】図７に示す偏波共用パッチアンテナのインピーダンス特性を示すスミスチャート
【図１２】図７に示す偏波共用パッチアンテナの給電プローブ１０５を励振した場合のパターン特性を示す図
【図１３】図７に示す偏波共用パッチアンテナの給電プローブ１０７を励振した場合のパターン特性を示す図
【符号の説明】
【００２０】
１０  偏波共用パッチアンテナ
１０１  パッチ
１０３  クロスライン（十字型のストリップ線路）
１０５、１０７  給電プローブ
１０９  誘電体（発泡材）
１１１  グランド板
１１３、１１５  金属小片
１１７、１１９  同軸線路の内導体
【図１】
2007142876.tif 000003
【図２】
2007142876.tif 000004
【図３】
2007142876.tif 000005
【図４】
2007142876.tif 000006
【図５】
2007142876.tif 000007
【図６】
2007142876.tif 000008
【図７】
2007142876.tif 000009
【図８】
2007142876.tif 000010
【図９】
2007142876.tif 000011
【図１０】
2007142876.tif 000012
【図１１】
2007142876.tif 000013
【図１２】
2007142876.tif 000014
【図１３】
2007142876.tif 000015